(57)【要約】【課題】マスタテンプレートの更新を容易に行うことができる。【解決手段】紙幣の鑑別を行う紙幣鑑別システム１は、受け入れた紙幣の状態を読み取り、受け入れた紙幣の特性を表す特性情報を生成するセンサ部３３を有する紙幣処理装置３と、紙幣処理装置３と通信可能に接続され、紙幣ごとの特性を表し、センサ部３３で生成された特性情報と照合され、紙幣処理装置３が受け入れた紙幣の状態の鑑別に用いられるマスタテンプレートを有するホストコンピュータ２とを有する。マスタテンプレートに更新の必要が生じた場合には、ホストコンピュータ２に格納されているマスタテンプレートを更新するだけでよい。【選択図】図２
2011076244.tif 000002
【特許請求の範囲】
【請求項１】
紙葉類の鑑別を行う紙葉類鑑別システムにおいて、
受け入れた紙葉類の状態を読み取り、受け入れた前記紙葉類の特性を表す特性情報を生成するセンサ部を有する紙葉類処理装置と、
前記紙葉類処理装置と通信可能に接続され、紙葉類ごとの特性を表し、前記センサ部で生成された前記特性情報と照合され、前記紙葉類処理装置が受け入れた前記紙葉類の状態の鑑別に用いられるマスタテンプレートを有するホストコンピュータと、
を有することを特徴とする紙葉類鑑別システム。
【請求項２】
前記紙葉類処理装置は、受け入れた前記紙葉類の状態の鑑別要求と前記特性情報とを前記ホストコンピュータに送信する通信部を有し、
前記ホストコンピュータは、前記紙葉類処理装置から前記鑑別要求と前記特性情報とを受信すると、前記マスタテンプレートと前記特性情報とを照合し、前記紙葉類処理装置が受け入れた前記紙葉類の状態を鑑別する鑑別部を有する、
ことを特徴とする請求項１記載の紙葉類鑑別システム。
【請求項３】
前記紙葉類処理装置は、
前記ホストコンピュータから前記マスタテンプレートを取得する通信部と、
取得した前記マスタテンプレートと前記特性情報とを照合し、受け入れた前記紙葉類の状態を鑑別する鑑別部と、
を有することを特徴とする請求項１記載の紙葉類鑑別システム。
【請求項４】
紙葉類の鑑別を行う紙葉類鑑別方法において、
紙葉類処理装置は、受け入れた紙葉類の状態を読み取り、受け入れた前記紙葉類の特性を表す特性情報を生成し、受け入れた前記紙葉類の状態の鑑別要求と前記特性情報とを送信し、
ホストコンピュータは、前記鑑別要求と前記特性情報とを受信すると、紙葉類ごとの特性を表すマスタテンプレートと前記特性情報とを照合し、前記紙葉類処理装置が受け入れた前記紙葉類の状態を鑑別する、
ことを特徴とする紙葉類鑑別方法。
【請求項５】
紙葉類の鑑別を行う紙葉類鑑別方法において、
ホストコンピュータは、紙葉類ごとの特性を表すマスタテンプレートを有し、
紙葉類処理装置は、受け入れた紙葉類の状態を読み取り、受け入れた前記紙葉類の特性を表す特性情報を生成し、前記ホストコンピュータから前記マスタテンプレートを取得し、取得した前記マスタテンプレートと前記特性情報とを照合し、受け入れた前記紙葉類の状態を鑑別する、
ことを特徴とする紙葉類鑑別方法。
【請求項６】
紙葉類の受け入れ及び払い出しを行う紙葉類処理装置において、
受け入れた前記紙葉類の状態を読み取り、受け入れた前記紙葉類の特性を表す特性情報を生成するセンサ部と、
紙葉類ごとの特性を表すマスタテンプレートを有し、前記マスタテンプレートと前記特性情報とを照合し、受け入れた前記紙葉類の状態を鑑別するホストコンピュータに、前記鑑別要求と前記特性情報とを送信する通信部と、
を有することを特徴とする紙葉類処理装置。
【請求項７】
紙葉類の受け入れ及び払い出しを行う紙葉類処理装置において、
受け入れた前記紙葉類の状態を読み取り、受け入れた前記紙葉類の特性を表す特性情報を生成するセンサ部と、
紙葉類ごとの特性を表すマスタテンプレートを有するホストコンピュータから前記マスタテンプレートを取得し、取得した前記マスタテンプレートと前記特性情報とを照合し、受け入れた前記紙葉類の状態を鑑別する鑑別部と、
を有することを特徴とする紙葉類処理装置。
【発明の詳細な説明】
【技術分野】
【０００１】
紙葉類の鑑別を行う紙葉類鑑別システム、紙葉類鑑別方法、当該紙葉類鑑別システムに用いられる、紙葉類の受け入れ及び払い出しを行う紙葉類処理装置に関する。
【背景技術】
【０００２】
銀行等の金融機関には、ＡＴＭ（Automated Teller Machine：現金自動預け払い機）またはＣＤ（Cash Dispenser：現金自動支払い機）等の紙幣処理装置が設置されている。
当該紙幣処理装置では、ユーザによって任意の紙幣が紙幣投入口から投入されると、当該紙幣の全面が読み取られて、画像情報が生成される。そして、当該画像情報と、予め用意されている真券の紙幣の金種毎の画像情報（マスタテンプレート）（例えば、特許文献１参照）とを比較して、投入された紙幣の金種、真贋等が鑑別される。
【０００３】
そして、当該紙幣処理装置では、鑑別結果を総合的に踏まえて、正常なものとして取り扱うべきと判断された紙幣は、所定の金種のスタッカに搬送される。その他の紙幣は、所定のスタッカまたは紙幣投入口からユーザに返却される。
【０００４】
このようにして紙幣処理装置に投入された紙幣の金種、真贋等の判定にはマスタテンプレートが用いられている。また、紙幣が刷新された場合には、当該紙幣に応じてマスタテンプレートの情報を更新して、新たな紙幣に対応することができる。
【先行技術文献】
【特許文献】
【０００５】
【特許文献１】特開２００５−５１０４１号公報
【発明の概要】
【発明が解決しようとする課題】
【０００６】
しかし、マスタテンプレートの情報を更新する場合には、ＡＴＭ及びＣＤ等に対して人手によって最新情報を導入しており、更新作業が煩雑であるという問題があった。また、近年、ＡＴＭ及びＣＤ等は、２４時間営業の小売店、デパートまたは駅等の様々な場所に設置されるようになっており、更新作業がさらに煩雑になっている。
【０００７】
特に、更新作業が煩雑であるために、ＡＴＭ及びＣＤ等にそれぞれ導入されているマスタテンプレートが最新版に更新されるまでに時間を要する。このため、例えば、新たな偽札が出回って緊急の対処が必要な場合には、マスタテンプレートの更新までに時間がかかり対応が遅れ、多大な損害を受けてしまうという問題もあった。
【０００８】
本発明はこのような点に鑑みてなされたものであり、マスタテンプレートの更新を容易に行うことができる紙葉類鑑別システム、紙葉類鑑別方法、及び紙葉類処理装置を提供することを目的とする。
【課題を解決するための手段】
【０００９】
上記目的を達成するために、紙葉類の鑑別を行う紙葉類鑑別システムが提供される。
このような紙葉類鑑別システムは、受け入れた紙葉類の状態を読み取り、受け入れた前記紙葉類の特性を表す特性情報を生成するセンサ部を有する紙葉類処理装置と、前記紙葉類処理装置と通信可能に接続され、紙葉類ごとの特性を表し、前記センサ部で生成された前記特性情報と照合され、前記紙葉類処理装置が受け入れた前記紙葉類の状態の鑑別に用いられるマスタテンプレートを有するホストコンピュータと、を有する。
【００１０】
このような紙葉類鑑別システムによれば、ホストコンピュータは、紙葉類処理装置と通信可能に接続され、紙葉類ごとの特性を表し、紙葉類処理装置のセンサ部で生成された特性情報と照合され、紙葉類処理装置が受け入れた紙葉類の状態の鑑別に用いられるマスタテンプレートを有する。
【００１１】
また、上記目的を達成するために、紙葉類の鑑別を行う紙葉類鑑別方法が提供される。
このような紙葉類鑑別方法は、紙葉類処理装置は、受け入れた紙葉類の状態を読み取り、受け入れた前記紙葉類の特性を表す特性情報を生成し、受け入れた前記紙葉類の状態の鑑別要求と前記特性情報とを送信し、ホストコンピュータは、前記鑑別要求と前記特性情報とを受信すると、紙葉類ごとの特性を表すマスタテンプレートと前記特性情報とを照合し、前記紙葉類処理装置が受け入れた前記紙葉類の状態を鑑別する。
【００１２】
また、上記目的を達成するために、紙葉類の受け入れ及び払い出しを行う紙葉類処理装置が提供される。
このような紙葉類処理装置は、受け入れた前記紙葉類の状態を読み取り、受け入れた前記紙葉類の特性を表す特性情報を生成するセンサ部と、紙葉類ごとの特性を表すマスタテンプレートを有し、前記マスタテンプレートと前記特性情報とを照合し、受け入れた前記紙葉類の状態を鑑別するホストコンピュータに、前記鑑別要求と前記特性情報とを送信する通信部と、を有する。
【００１３】
このような紙葉類鑑別方法及び紙葉類鑑別装置によれば、紙葉類処理装置により、受け入れた紙葉類の状態を読み取り、受け入れた紙葉類の特性を表す特性情報が生成され、受け入れた紙葉類の状態の鑑別要求と特性情報とが送信され、ホストコンピュータにより、鑑別要求と特性情報とが受信されると、紙葉類ごとの特性を表すマスタテンプレートと特性情報とが照合され、紙葉類処理装置が受け入れた紙葉類の状態が鑑別される。
【００１４】
また、上記目的を達成するために、紙葉類の鑑別を行う紙葉類鑑別方法が提供される。
このような紙葉類鑑別方法は、ホストコンピュータは、紙葉類ごとの特性を表すマスタテンプレートを有し、紙葉類処理装置は、受け入れた紙葉類の状態を読み取り、受け入れた前記紙葉類の特性を表す特性情報を生成し、前記ホストコンピュータから前記マスタテンプレートを取得し、取得した前記マスタテンプレートと前記特性情報とを照合し、受け入れた前記紙葉類の状態を鑑別する。
【００１５】
また、上記目的を達成するために、紙葉類の受け入れ及び払い出しを行う紙葉類処理装置が提供される。
このような紙葉類処理装置は、受け入れた前記紙葉類の状態を読み取り、受け入れた前記紙葉類の特性を表す特性情報を生成するセンサ部と、紙葉類ごとの特性を表すマスタテンプレートを有するホストコンピュータから前記マスタテンプレートを取得し、取得した前記マスタテンプレートと前記特性情報とを照合し、受け入れた前記紙葉類の状態を鑑別する鑑別部と、を有する。
【００１６】
このような紙葉類鑑別方法及び紙葉類鑑別装置によれば、紙葉類処理装置により、受け入れた紙葉類の状態が読み取られ、受け入れた紙葉類の特性を表す特性情報が生成され、ホストコンピュータからマスタテンプレートが取得され、取得されたマスタテンプレートと特性情報とが照合され、受け入れた紙葉類の状態が鑑別される。
【発明の効果】
【００１７】
上記紙葉類鑑別システム、紙葉類鑑別方法及び紙葉類処理装置では、マスタテンプレートの更新及び管理を容易に行うことができる。
【図面の簡単な説明】
【００１８】
【図１】ホストコンピュータ及び紙幣処理装置がネットワークで通信可能に接続された紙幣鑑別システムを説明するための図である。
【図２】第１の実施の形態におけるホストコンピュータ及び紙幣処理装置の機能を示すそれぞれのブロック図である。
【図３】第１の実施の形態における紙幣鑑別システムで行われる紙幣の鑑別処理を示すフローチャートである。
【図４】紙幣鑑別システムで行われる紙幣の画像情報の読み取り処理を説明するための図である。
【図５】紙幣鑑別システムで行われる紙幣の画像処理を説明するための図である。
【図６】第２の実施の形態におけるホストコンピュータ及び紙幣処理装置の機能を示すそれぞれのブロック図である。
【図７】第２の実施の形態における紙幣鑑別システムで行われる紙幣の鑑別の処理を示すフローチャートである。
【発明を実施するための形態】
【００１９】
以下、実施の形態について説明する。
なお、以下の実施の形態では、紙葉類の一例として紙幣を例に挙げているが、紙葉類は有価証券や小切手等を含むものであり、紙幣に限定されるものではない。
【００２０】
［第１の実施の形態］
図１は、ホストコンピュータ及び紙幣処理装置がネットワークで通信可能に接続された紙幣鑑別システムを説明するための図である。
【００２１】
紙幣鑑別システム１は、図１に示されるように、ホストコンピュータ２と、当該ホストコンピュータ２と、例えば、ＬＡＮ（Local Area Network）等のネットワーク４で接続された複数の紙幣処理装置３とを有する。
【００２２】
ホストコンピュータ２は、ネットワーク４の中心となるコンピュータである。例えば、銀行、郵便局等においては、ネットワーク４に接続されている端末から演算またはデータベースの検索等の処理要求を受け付けて、金融取引の処理等を実行する機能等を有する。また、顧客（ユーザ）の口座、ＩＤ等の個人情報等のデータベースを管理する。
【００２３】
紙幣処理装置３は、銀行、郵便局等の場合を例に挙げれば、各支店だけではなく、小売店等の商業施設または駅等の公共施設に設置されている。当該紙幣処理装置３は、ホストコンピュータ２、並びに他の同じ機能を備えた紙幣処理装置３と相互にネットワーク４で通信可能に接続されている。
【００２４】
また、紙幣処理装置３は、図１に示されるように、表示入力画面３ａ、硬貨が投入される硬貨投入口３ｂ、紙幣が投入される紙幣投入口３ｃ、通帳及びカードがそれぞれ投入される通帳投入口３ｄ及びカード投入口３ｅがそれぞれ配置されている。
【００２５】
表示入力画面３ａは、取引対象の金額、口座番号及び取引処理内容等を表示する表示部と、金額、口座番号等の入力及び所定の処理の操作が行われるタッチパネル等の入力部とで構成されている。例えば、所定の金額を指定の口座に振り込む場合には、ユーザによりタッチパネルで所定の金額及び口座番号が入力されると、表示部にこれらの金額及び口座番号が表示される。ユーザは表示された取引内容を確認して間違いがなければ、タッチパネルで当該取引を進めることができる。間違いがあればタッチパネルで金額及び口座番号を再入力することができる。
【００２６】
硬貨投入口３ｂは、ユーザによって硬貨が入金されて、紙幣処理装置３内で、入金された硬貨の金種、真贋等が鑑別される。真贋鑑別の結果に応じて、真である硬貨は、紙幣処理装置３の内部に配置された所定金種の硬貨収納庫に搬送される。偽である硬貨は硬貨投入口３ｂからユーザに返却される。また、ユーザの表示入力画面３ａを介した操作入力に応じて、所望の金額の硬貨が硬貨投入口３ｂからユーザに返却される。
【００２７】
紙幣投入口３ｃは、ユーザによって紙幣が投入されると、紙幣処理装置３内で、投入された紙幣の金種、真贋等が鑑別される。鑑別結果に応じて、真である紙幣は紙幣処理装置３の紙幣処理装置３内に配置された所定のスタッカに金種毎に搬送される。偽である紙幣は紙幣投入口３ｃからユーザに返却される。なお、紙幣の状態の鑑別処理については後述する。また、ユーザの表示入力画面３ａを介した操作入力に応じて、所望の金額の紙幣がスタッカから搬送されて紙幣投入口３ｃからユーザに返却される。
【００２８】
通帳投入口３ｄは、ユーザによって通帳が投入されて、紙幣処理装置３内の所定の領域に搬送されて、取引履歴等が印字される。また、印字が完了した通帳は通帳投入口３ｄからユーザに返却される。
【００２９】
カード投入口３ｅは、ユーザによってカードが投入されて、取引履歴が磁気的に書き込まれ、または読み込まれる。また、取引履歴の更新等が完了したカードはカード投入口３ｅからユーザに返却される。
【００３０】
次に、紙幣鑑別システム１を構成するホストコンピュータ２及び紙幣処理装置３の各機能について説明する。
図２は、第１の実施の形態におけるホストコンピュータ及び紙幣処理装置の機能を示すそれぞれのブロック図である。
【００３１】
まず、ホストコンピュータ２は、格納部２１、通信部２２、鑑別部２３及びＣＰＵ（Central Processing Unit：中央処理装置）２４を具備している。
格納部２１には、マスタテンプレートが予め格納されている。マスタテンプレートは、真券の紙幣の金種毎の外形、印刷模様の形状及び濃淡等の特性から構成されている。例えば、紙幣のマスタテンプレートは、紙幣処理装置３に対して、表裏・上下（天地）のそれぞれの４つの投入方向の場合の真券の紙幣において、縦及び横の長さ（または正規化された縦及び横の長さ。なお正規化については後述）、紙幣の全体を微小領域に分けた各領域における階調度、紙幣１枚の厚さ等の特性により構成されている。なお、流通している紙幣は同金種であっても外形、印刷模様の形状及び濃淡等の特性値にばらつきがある。マスタテンプレートを真券のみに厳格に対応させてしまうと、後述するマスタテンプレートを利用した鑑別方法では、真券と同金種であっても、正しく鑑別されない場合が生じてしまう。そこで、マスタテンプレートを構成する各特性値には許容範囲で、例えば正規分布のように、幅を持たせている。このようなマスタテンプレートが、千円紙幣、五千円紙幣、壱万円紙幣にそれぞれ対応して用意されている。また、格納部２１に格納されているマスタテンプレートは必要に応じて更新することができる。
【００３２】
通信部２２は、紙幣処理装置３と通信可能なネットワーク４で接続されており、紙幣処理装置３に対して、情報の送受信を行う。
鑑別部２３は、格納部２１に格納されているマスタテンプレートと、紙幣処理装置３から通信部２２を介して受信した紙幣の特性とを比較して、当該紙幣の状態を鑑別する。
【００３３】
ＣＰＵ２４は、ホストコンピュータ２が具備する通信部２２及び鑑別部２３等の動作を制御する。
一方、紙幣処理装置３は、保持部３１、紙幣検知部３２、センサ部３３、増幅部３４、Ａ／Ｄ変換部３５、画像処理部３６、通信部３７及びＣＰＵ３８を具備している。
【００３４】
保持部３１は、当該紙幣処理装置３内の処理の過程で生成された、受け入れた紙幣の特性情報を含有する画像情報及び画像処理後の正規化画像情報等を保持する。
紙幣検知部３２は、ユーザによって紙幣処理装置３の紙幣投入口３ｃから投入された紙幣が所定の搬送路に搬送されたことを検知して、当該検知をＣＰＵ３８に通知する。
【００３５】
センサ部３３は、紙幣の搬送の検知が通知されたＣＰＵ３８から受信した動作命令に応じて、搬送される紙幣の全面から紙幣の寸法及び外形、印刷模様の形状及び濃淡、厚さ等の特性を読み取る。そして、センサ部３３は読み取った紙幣の特性から画像情報を生成する。また、センサ部３３を、読み取る特性に応じて、光センサ、厚さセンサ及び磁気センサ等から構成させることができる。なお、光センサは搬送される紙幣に照射した光の透過光及び反射光により紙幣の画像情報を生成し、厚さセンサは搬送される紙幣による厚さ方向の変位量から厚さを検出し、磁気センサは搬送される紙幣の磁気画像を生成する。なお、センサ部３３による紙幣の読み取りについては後に具体例を挙げて再び説明する。
【００３６】
増幅部３４はセンサ部３３で生成された紙幣の画像情報を増幅する。
Ａ／Ｄ変換部３５は増幅部３４で増幅された画像情報をデジタル情報に変換する。
画像処理部３６は、デジタル情報に変換された画像情報に対して、座標変換（傾き補正）、濃度補正等の画像処理を行う。
【００３７】
通信部３７は、ホストコンピュータ２と通信可能なネットワーク４で接続されており、ホストコンピュータ２に対して、情報の送受信を行う。
ＣＰＵ３８は、ユーザの操作入力に応じて、紙幣処理装置３における紙幣の搬送機構を制御する。また、ＣＰＵ３８は、紙幣処理装置３が具備する紙幣検知部３２、センサ部３３、増幅部３４、Ａ／Ｄ変換部３５、画像処理部３６及び通信部３７等の動作を制御する。特に、ＣＰＵ３８は、紙幣検知部３２からの検知が通知されると、センサ部３３に動作命令を送信してセンサ部３３を動作させる。また、ＣＰＵ３８は、画像処理部３６で画像処理された画像情報を通信部３７からホストコンピュータ２に送信させる。さらに、ＣＰＵ３８は、ホストコンピュータ２における鑑別結果に応じて、紙幣処理装置３における紙幣の搬送機構を制御する。
【００３８】
このような構成をそれぞれ具備するホストコンピュータ２及び紙幣処理装置３を有する紙幣鑑別システム１で行われる、紙幣処理装置３に投入された紙幣の鑑別方法について説明する。
【００３９】
図３は、第１の実施の形態における紙幣鑑別システムで行われる紙幣の鑑別処理を示すフローチャートである。また、図４は、紙幣鑑別システムで行われる紙幣の画像情報の読み取り処理を説明するための図、図５は、紙幣鑑別システムで行われる紙幣の画像処理を説明するための図である。
【００４０】
なお、図３は、ステップＳ１１〜Ｓ１３の処理は紙幣処理装置３で、ステップＳ１４〜Ｓ１７の処理はホストコンピュータ２でそれぞれ実行される。図４は、紙幣Ｑが回転してＸ方向に搬送路３３１を搬送されている場合を表している。また、図５（Ａ）はセンサ部３３で読み取られて生成された紙幣Ｑの全面の画像を、図５（Ｂ）は当該紙幣Ｑの全面に対して画像処理が行われた画像をそれぞれ表している。
【００４１】
以下、図２並びに図３〜図５を参照しながら説明する。
まず、紙幣処理装置３の紙幣投入口３ｃから投入された紙幣Ｑは、図４に示されるように、紙幣処理装置３の内部に配置されている搬送路３３１を搬送する。なお、紙幣Ｑの搬送路３３１の搬送は、紙幣処理装置３の内部に設置した図示しない搬送機構によって実行される。
【００４２】
搬送路３３１は、位置センサ３３４ａ〜３３４ｄ、光センサ３３２が配置されている。なお、紙幣投入口３ｃからユーザにより投入された紙幣Ｑは搬送路３３１をＸ方向に向けて搬送する。
【００４３】
位置センサ３３４ａ〜３３４ｄは紙幣検知部３２の構成要素の一部である。位置センサ３３４ａ，３３４ｂは、紙幣Ｑが光センサ３３２に搬送される前の搬送路３３１の搬送面内に配置され、紙幣Ｑの光センサ３３２への搬送を検知する。この検知結果はＣＰＵ３８に通知される。また、位置センサ３３４ｃ，３３４ｄは、紙幣Ｑが光センサ３３２から搬出された後の搬送路３３１の搬送面内に配置されて、紙幣Ｑの光センサ３３２からの搬出を検知する。
【００４４】
光センサ３３２はセンサ部３３の構成要素の一部であって、搬送路３３１を上下に挟んで発光部及び受光部（共に図示を省略）がそれぞれ対向配置されている。光センサ３３２は、位置センサ３３４ａ，３３４ｂからの紙幣Ｑの検知が通知されたＣＰＵ３８からの動作命令を受信すると、搬送路３３１を搬送する紙幣Ｑの面に光を照射し、そのときの紙幣Ｑの全面における透過光等から、紙幣Ｑの寸法及び外形、印刷模様の形状及び濃淡等の特性を読み取る。読み取った特性から紙幣Ｑの画像情報を生成する（図３：ステップＳ１１）。
【００４５】
光センサ３３２によって読み取られ生成された紙幣Ｑの画像情報は搬送状態に基づいており、図５（Ａ）に示されるように、Ｙ方向（Ｘ方向に対して垂直方向）に対して回転角θで回転している。なお、図５（Ａ）に示されるように、紙幣Ｑの左上の頂点を点Ａとする。
【００４６】
画像処理部３６は、センサ部３３で生成された紙幣Ｑの画像情報から、その点Ａの座標、及びＹ方向に対する回転角θを検出する。画像処理部３６は、図５（Ｂ）に示されるように、回転角θに基づいて、画像情報を回転処理して、紙幣Ｑの画像情報をＸ方向及びＹ方向に対して平行にする。さらに、画像処理部３６は、点Ａの座標が原点（左上隅の座標Ｏ）に来るように移動処理する。
【００４７】
このように、紙幣Ｑの画像情報をＸ方向及びＹ方向に対して平行にし、その点Ａを、原点Ｏとする画像処理（正規化処理）により、紙幣Ｑの正規化画像情報が得られる（図３：ステップＳ１２）。
【００４８】
このようにして得られた紙幣Ｑの正規化画像情報は紙幣処理装置３の保持部３１に保持される。そして、紙幣処理装置３の通信部３７からホストコンピュータ２に対して、投入された紙幣Ｑの鑑別要求と共に、当該正規化画像情報が通知される（図３：ステップＳ１３）。
【００４９】
ホストコンピュータ２の通信部２２は、紙幣処理装置３から当該正規化画像情報と共に紙幣Ｑの鑑別要求を受信する。すると、ホストコンピュータ２の鑑別部２３は、格納部２１に格納しているマスタテンプレートに基づいて、紙幣Ｑの状態について以下の鑑別処理を実行する。
【００５０】
まず、紙幣Ｑの金種について鑑別する。紙幣Ｑの正規化画像情報に基づき、紙幣Ｑの寸法及び外形、印刷模様の形状及び濃淡等の特性と適合するマスタテンプレートを特定する。紙幣Ｑの金種は、適合した当該マスタテンプレートで示される金種であると鑑別する（図３：ステップＳ１４）。
【００５１】
紙幣Ｑの金種が鑑別されなかった場合には、ホストコンピュータ２での以後の処理を停止して、鑑別不可であった旨を紙幣処理装置３に通知する。鑑別不可が通知された紙幣処理装置３では当該紙幣Ｑを紙幣投入口３ｃからユーザに返却する。
【００５２】
次いで、紙幣Ｑの損傷状態を鑑別する。特定したマスタテンプレートと、紙幣Ｑの正規化画像情報とを比較して、紙幣Ｑの外形の折れ、穴、破れ等の欠損部分の数及び各欠損部分の面積から欠損部分の総面積を特定し、紙幣Ｑの損傷状態（損傷量）を鑑別する（図３：ステップＳ１５）。
【００５３】
鑑別した損傷量が所定量以上である場合、または損傷量を鑑別できない場合には、ホストコンピュータ２での以後の処理を停止して、損傷量が所定量以上、または鑑別不可であった旨を紙幣処理装置３に通知する。当該通知を受けた紙幣処理装置３では当該紙幣Ｑを紙幣投入口３ｃからユーザに返却する。
【００５４】
次いで、紙幣Ｑの真贋について鑑別する。特定したマスタテンプレートと、紙幣Ｑの正規化画像情報とを照合して、紙幣Ｑの真贋を鑑別する（図３：ステップＳ１６）。
正規化画像情報とマスタテンプレートとが適合しない場合には、ホストコンピュータ２での以後の処理を停止して、マスタテンプレートと適合しなかった旨を紙幣処理装置３に通知する。当該通知を受けた紙幣処理装置３では当該紙幣Ｑを紙幣投入口３ｃからユーザに返却する。
【００５５】
最後に、紙幣Ｑの搬送状態を鑑別する。特定したマスタテンプレートと、紙幣Ｑの正規化画像情報とを比較して、紙幣Ｑの外形、厚さ等から、紙幣Ｑの重送、傾斜等の搬送状態を鑑別する（図３：ステップＳ１７）。
【００５６】
紙幣Ｑが重送、傾斜等の正常ではない状態で搬送されていると鑑別した場合、または搬送状態を鑑別できない場合には、正常でない状態で搬送されていること、または鑑別不可であった旨を紙幣処理装置３に通知する。当該通知を受けた紙幣処理装置３では当該紙幣Ｑを紙幣投入口３ｃからユーザに返却する。
【００５７】
以上のステップＳ１４〜Ｓ１７の鑑別処理が終了すると、ホストコンピュータ２の通信部２２から紙幣処理装置３に紙幣Ｑの鑑別結果（金種、真券、損傷少、正常搬送）が通知される。紙幣処理装置３は当該鑑別結果に応じて、紙幣Ｑを対応する金種のスタッカに搬送する。
【００５８】
このように、紙幣処理装置３に通信可能に接続されたホストコンピュータ２に紙幣の金種毎のマスタテンプレートを格納させ、ホストコンピュータ２で当該マスタテンプレートに基づいた、紙幣処理装置３に投入された紙幣Ｑの状態の鑑別を行った。
【００５９】
したがって、当該マスタテンプレートに更新の必要が生じた場合には、ホストコンピュータ２に格納されているマスタテンプレートを更新するだけでよい。このため、様々な場所に配置された各紙幣処理装置３に対する更新作業が不要になり、マスタテンプレートの管理及び更新作業が容易になる。
【００６０】
また、ホストコンピュータ２には常に最新のマスタテンプレートが格納されているため、誤って古いマスタテンプレートを利用して紙幣Ｑの鑑別を行うことが防止される。
上記の場合では、真券のマスタテンプレートを用いた場合を説明した。以下では、偽券のマスタテンプレートを用いた場合を例に挙げて説明する。
【００６１】
＜実施例１＞
再び、図３及び図４を参照しながら説明する。
新たに偽札が出回り、当該偽札を紙幣処理装置３で利用できないようにするために、マスタテンプレートの更新が緊急に必要になった場合に、当該偽札の特徴として、当該偽札の記番号をホストコンピュータ２の格納部２１のマスタテンプレートに新たに追加して更新する。
【００６２】
なお、記番号とは、図４に示される紙幣ＱのＱ１及びＱ２の位置に各紙幣固有の番号として割り当てられているものである。また、紙幣Ｑの特徴としては、記番号の他に、例えば、所謂透かし絵等がある。透かし絵は、図４に示される紙幣ＱのＱ３の位置に作りこまれたものであり、Ｑ３の位置を周囲よりもより明るくすることで区別される画像または模様である。
【００６３】
このようにマスタテンプレートの更新後、紙幣処理装置３に紙幣Ｑが投入されると、図３のステップＳ１１において、光センサ３３２に加えて、例えば、文字センサが追加されたセンサ部３３により、紙幣Ｑの記番号も読み取られる。
【００６４】
図３のステップＳ１２〜Ｓ１５の所定の処理後、マスタテンプレートの偽券の記番号と、紙幣Ｑの記番号とを照合する。
照合の結果、適合しない場合には、紙幣Ｑは偽札ではないため、通常の鑑別処理が行われる。
【００６５】
一方、適合する場合には、ホストコンピュータ２での以後の処理を停止して、マスタテンプレートと適合した旨を紙幣処理装置３に通知する。また、同時に、紙幣鑑別システム１全体を管理するシステム管理者等に通知するようにしても良い。なお、当該通知を受けた紙幣処理装置３では当該紙幣Ｑをユーザに返却せずに、紙幣処理装置３内部の所定のスタッカに取り込む。
【００６６】
このように、新たに偽札が出回り、当該偽札を紙幣処理装置３で利用できないようにするために、マスタテンプレートの更新が緊急に必要になった場合でも、ホストコンピュータ２に格納されているマスタテンプレートのみを更新することで、迅速、かつ確実に対応することが可能となる。
【００６７】
［第２の実施の形態］
第１の実施の形態では、ホストコンピュータ２に格納したマスタテンプレートを利用して、ホストコンピュータ２で紙幣の鑑別処理を行った場合について説明した。
【００６８】
一方、第２の実施の形態では、ホストコンピュータ２に格納したマスタテンプレートを紙幣処理装置３に送信して、紙幣処理装置３で紙幣の鑑別処理を行う場合を例に挙げて説明する。
【００６９】
第２の実施の形態でも同様に、紙幣鑑別システムは、ホストコンピュータと、当該ホストコンピュータと、ネットワークで接続された複数の紙幣処理装置とを有する。なお、紙幣処理装置も、第１の実施の形態の紙幣処理装置３と同様に、表示入力画面３ａ、硬貨が投入される硬貨投入口３ｂ、紙幣が投入される紙幣投入口３ｃ、通帳及びカードがそれぞれ投入される通帳投入口３ｄ及びカード投入口３ｅがそれぞれ配置されている。
【００７０】
次に、紙幣鑑別システムを構成するホストコンピュータ及び紙幣処理装置の構成について説明する。
図６は、第２の実施の形態におけるホストコンピュータ及び紙幣処理装置の機能を示すそれぞれのブロック図である。
【００７１】
紙幣鑑別システム１１は、ホストコンピュータ１２と紙幣処理装置１３とが通信可能なネットワーク１４で接続されて構成されている。
まず、ホストコンピュータ１２は、第１の実施の形態のホストコンピュータ２と同様に、格納部２１、通信部２２及びＣＰＵ２４を具備している。また、ホストコンピュータ１２は、新たに、送信指示部２５を具備している。
【００７２】
送信指示部２５は、ＣＰＵ２４の命令に応じて、通信部２２を介して、格納部２１に格納されているマスタテンプレートを紙幣処理装置１３に送信する。
なお、当該マスタテンプレートは真券の紙幣の特性により構成されている。
【００７３】
一方、紙幣処理装置１３は、第１の実施の形態の紙幣処理装置３と同様に、保持部３１、紙幣検知部３２、センサ部３３、増幅部３４、Ａ／Ｄ変換部３５、画像処理部３６、通信部３７及びＣＰＵ３８を具備している。また、紙幣処理装置１３は、新たに、鑑別部３９を具備している。
【００７４】
鑑別部３９は、ホストコンピュータ１２から送信されたマスタテンプレートと、紙幣処理装置１３内の所定の処理を経て生成された紙幣の正規化画像情報とから紙幣の状態の鑑別処理を行う。また、鑑別部３９は、ＣＰＵ３８の制御に応じて紙幣の当該鑑別処理を行う。
【００７５】
なお、保持部３１は、第１の実施の形態と異なり、ＣＰＵ３８及び鑑別部３９と接続している。保持部３１は、紙幣処理装置１３内で生成された紙幣の画像情報及び画像処理後の正規化画像情報等をＣＰＵ３８から移送されて保持する。また、保持部３１は、ホストコンピュータ１２から送信されたマスタテンプレートを保持する。
【００７６】
このような構成をそれぞれ具備するホストコンピュータ１２及び紙幣処理装置１３を有する紙幣鑑別システム１１で行われる、紙幣処理装置３に投入された紙幣の鑑別方法について説明する。
【００７７】
図７は、第２の実施の形態における紙幣鑑別システムで行われる紙幣の鑑別の処理を示すフローチャートである。
以下、図６及び図７、並びに図４を参照しながら説明する。
【００７８】
まず、紙幣処理装置１３の紙幣投入口３ｃから投入された紙幣Ｑは、図４に示されるように、紙幣処理装置１３の内部に配置されている搬送路３３１を搬送する。
位置センサ３３４ａ，３３４ｂによって紙幣Ｑの光センサ３３２への搬送が検知されると、紙幣検知部３２からＣＰＵ３８に当該検知が通知される。当該通知により、ＣＰＵ３８はホストコンピュータ１２にマスタテンプレートの送信要求を通信部３７を介して通知する。
【００７９】
ホストコンピュータ１２は、当該送信要求が通知されると、送信指示部２５が格納部２１に格納されているマスタテンプレートを通信部２２を介して紙幣処理装置１３に送信する。
【００８０】
そして、送信されたマスタテンプレートは紙幣処理装置１３の通信部３７で受信されて、ＣＰＵ３８により保持部３１に移送され、保持される（図７：ステップＡ）。
次いで、光センサ３３２は、ＣＰＵ３８からの動作命令を受信すると、図３のステップＳ１１と同様に、紙幣Ｑの寸法及び外形、印刷模様の形状及び濃淡等の特性を読み取る。読み取った特性から紙幣Ｑの画像情報を生成する（図７：ステップＳ２１）。
【００８１】
次いで、光センサ３３２によって読み取り生成された紙幣Ｑの画像情報を、図３のステップＳ１２と同様に、Ｘ方向及びＹ方向に対して平行にし、その点Ａを、原点Ｏとする画像処理（正規化処理）により、紙幣Ｑの正規化画像情報が得られる（図７：ステップＳ２２）。
【００８２】
次いで、紙幣処理装置１３の鑑別部３９は、保持部３１に保持しているマスタテンプレート及び紙幣Ｑの正規化画像情報を用いて、紙幣Ｑの状態について以下の鑑別処理を実行する。なお、以下の鑑別処理のステップＳ２３〜Ｓ２６は図３のステップＳ１４〜Ｓ１７にそれぞれ対応している。
【００８３】
まず、紙幣Ｑの金種について鑑別する。紙幣Ｑの正規化画像情報に基づき、紙幣Ｑの寸法及び外形、印刷模様の形状及び濃淡等の特性と適合するマスタテンプレートを特定する。紙幣Ｑの金種は、適合した当該マスタテンプレートで示される金種であると鑑別する（図７：ステップＳ２３）。
【００８４】
紙幣Ｑの金種が鑑別されなかった場合には、紙幣処理装置１３での以後の処理を停止して、紙幣処理装置１３は当該紙幣Ｑを紙幣投入口３ｃからユーザに返却する。
次いで、紙幣Ｑの損傷状態を鑑別する。特定したマスタテンプレートと、紙幣Ｑの正規化画像情報とを比較して、紙幣Ｑの外形の折れ、穴、破れ等の欠損部分の数及び各欠損部分の面積から欠損部分の総面積を特定し、紙幣Ｑの損傷状態（損傷量）を鑑別する（図７：ステップＳ２４）。
【００８５】
鑑別した損傷量が所定量以上である場合、または損傷量を鑑別できない場合には、紙幣処理装置１３での以後の処理を停止して、紙幣処理装置１３は当該紙幣Ｑを紙幣投入口３ｃからユーザに返却する。
【００８６】
次いで、紙幣Ｑの真贋について鑑別する。特定したマスタテンプレートと、紙幣Ｑの正規化画像情報とを照合して、紙幣Ｑの真贋を鑑別する（図７：ステップＳ２５）。
正規化画像情報とマスタテンプレートとが適合しない場合には、紙幣処理装置１３での以後の処理を停止して、紙幣処理装置１３は当該紙幣Ｑを紙幣投入口３ｃからユーザに返却する。
【００８７】
最後に、紙幣Ｑの搬送状態を鑑別する。特定したマスタテンプレートと、紙幣Ｑの正規化画像情報とを比較して、紙幣Ｑの外形、厚さ等から、紙幣Ｑの重送、傾斜等の搬送状態を鑑別する（図７：ステップＳ２６）。
【００８８】
紙幣Ｑが重送、傾斜等の正常ではない状態で搬送されていると鑑別した場合、または搬送状態を鑑別できない場合には、紙幣処理装置１３は当該紙幣Ｑを紙幣投入口３ｃからユーザに返却する。
【００８９】
以上のステップＳ２３〜Ｓ２６の鑑別処理が終了すると、紙幣処理装置１３は紙幣Ｑの鑑別結果（金種、真券、損傷少、正常搬送）に応じて、紙幣Ｑを対応する金種のスタッカに搬送する。
【００９０】
このように、紙幣処理装置１３に通信可能に接続されたホストコンピュータ１２に紙幣の金種毎のマスタテンプレートを格納させ、紙幣処理装置１３で紙幣Ｑの鑑別を行う際には、ホストコンピュータ１２からマスタテンプレートを紙幣処理装置１３に送信させて、紙幣処理装置１３で紙幣Ｑの状態の鑑別を行った。
【００９１】
したがって、当該マスタテンプレートに更新の必要が生じた場合には、ホストコンピュータ１２に格納されているマスタテンプレートを更新するだけでよい。このため、様々な場所に配置された各紙幣処理装置１３に対する更新作業が不要になり、マスタテンプレートの管理及び更新作業が容易になる。
【００９２】
また、ホストコンピュータ１２には常に最新のマスタテンプレートが格納されているため、誤って古いマスタテンプレートを利用して紙幣Ｑの鑑別を行うことが防止される。
なお、上記では、紙幣処理装置１３がホストコンピュータ１２からマスタテンプレートを受信するステップＡをステップＳ２１の前に行う場合について説明した。当該ステップＡは、ステップＳ２３が実行される前のタイミングであればいつでも構わない。当該ステップＡを実行するために、例えば、ユーザによる紙幣処理装置１３の操作の開始時、ステップＳ２２で画像処理終了後、等のタイミングが考えられる。
【００９３】
上記の場合では、真券のマスタテンプレートを用いた場合を説明した。以下では、偽券のマスタテンプレートを用いた場合を例に挙げて説明する。
＜実施例２＞
再び、図７及び図４を参照しながら説明する。
【００９４】
まず、実施例１と同様に、新たに偽札が出回り、当該偽札を紙幣処理装置１３で利用できないようにするために、マスタテンプレートの更新が緊急に必要になった場合に、当該偽札の特徴として、当該偽札の記番号をホストコンピュータ１２の格納部２１のマスタテンプレートに新たに追加して更新する。
【００９５】
ホストコンピュータ１２に格納されているマスタテンプレートの更新後、紙幣処理装置１３の紙幣投入口３ｃから投入された紙幣は、図４に示されるように、紙幣処理装置１３の内部に配置されている搬送路３３１を搬送する。
【００９６】
位置センサ３３４ａ，３３４ｂによって紙幣Ｑの光センサ３３２への搬送が検知されると、紙幣検知部３２からＣＰＵ３８に当該検知が通知される。当該通知により、ＣＰＵ３８はホストコンピュータ１２にマスタテンプレートの送信要求を通信部３７を介して通知する。
【００９７】
ホストコンピュータ１２は、当該送信要求が通知されると、送信指示部２５が格納部２１に格納されている偽券のマスタテンプレートを通信部２２を介して紙幣処理装置１３に送信する。
【００９８】
送信されたマスタテンプレートは紙幣処理装置１３の通信部３７で受信して、ＣＰＵ３８により保持部３１に移送され、保持される（図７：ステップＡ）。
次いで、ＣＰＵ３８からの動作命令を受信すると、光センサ３３２に加えて、例えば、文字センサを追加されたセンサ部３３により、紙幣Ｑの記番号も読み取られる。読み取った特性から紙幣Ｑの特性を含む画像情報を生成する（図７：ステップＳ２１）。
【００９９】
この後、図７のステップＳ２２〜Ｓ２４における処理が同様に行われる。
次いで、紙幣Ｑの真贋について鑑別する。偽札の記番号が更新されたマスタテンプレートと、紙幣Ｑの記番号とを照合して、紙幣Ｑの真贋を鑑別する（図７：ステップＳ２５）。
【０１００】
照合の結果、適合しない場合には、紙幣Ｑは偽札ではないため、ステップＳ２６に鑑別処理が進められる。
一方、適合する場合には、紙幣処理装置１３での以後の処理を停止し、紙幣処理装置１３は当該紙幣Ｑをユーザに返却せずに、紙幣処理装置３内部の所定のスタッカに取り込む。また、同時に、システム管理者等に通知するようにしても良い。
【０１０１】
このように、新たに偽札が出回り、当該偽札を紙幣処理装置３で利用できないようにするために、マスタテンプレートの更新が緊急に必要になった場合でも、ホストコンピュータ１２に格納されているマスタテンプレートのみを更新することで、迅速、かつ確実に対応することが可能となる。
【０１０２】
なお、実施例２でも、実施例１の場合と同様に、当該ステップＡは、ステップＳ２３が実行される前のタイミングであればいつでも構わない。当該ステップＡを実行するために、例えば、ユーザによる紙幣処理装置１３の操作の開始時、ステップＳ２２で画像処理終了後、等のタイミングが考えられる。
【０１０３】
また、実施例２では、偽札の特徴として記番号の場合を例に挙げて説明したが、実施例１と同様に、偽札の特徴として記番号に限らず、透かし絵等でも構わない。
【符号の説明】
【０１０４】
１，１１  紙幣鑑別システム
２，１２  ホストコンピュータ
３，１３  紙幣処理装置
３ａ  表示入力画面
３ｂ  硬貨投入口
３ｃ  紙幣投入口
３ｄ  通帳投入口
３ｅ  カード投入口
４，１４  ネットワーク
２１  格納部
２２，３７  通信部
２３，３９  鑑別部
２４，３８  ＣＰＵ
２５  送信指示部
３１  保持部
３２  紙幣検知部
３３  センサ部
３４  増幅部
３５  Ａ／Ｄ変換部
３６  画像処理部
３３１  搬送路
３３２  光センサ
３３４ａ，３３４ｂ，３３４ｃ，３３４ｄ  位置センサ
【図１】
2011076244.tif 000003
【図２】
2011076244.tif 000004
【図３】
2011076244.tif 000005
【図４】
2011076244.tif 000006
【図５】
2011076244.tif 000007
【図６】
2011076244.tif 000008
【図７】
2011076244.tif 000009
【手続補正書】
【提出日】平成22年4月7日(2010.4.7)
【手続補正１】
【補正対象書類名】明細書
【補正対象項目名】０００５
【補正方法】変更
【補正の内容】
【０００５】
【特許文献１】特開２００３−５１０４１号公報